(57)【要約】【課題】可溶部の設計自由度が高いヒューズユニットを提供する。【解決手段】給電用接続部１２と外部用接続部１３とこれらの間に介在される可溶部１５を有するバスバー１１と、バスバー１１の外側に固定され、且つ、可溶部１５を露出させる窓部２１を有する絶縁樹脂部２０を有するユニット本体１０を備えたヒューズユニット１であって、窓部２１は、可溶部１５の可溶体１５ｂを露出し、前記可溶体（１５ｂ）以外の前記可溶部１５の箇所が絶縁樹脂部２０に埋設されている。【選択図】図１
2013054945.tif 000002
【特許請求の範囲】
【請求項１】
複数の端子接続部と前記端子接続部の間に介在される可溶部を有するバスバーと、前記バスバーの外側に固定され、且つ、前記可溶部を露出させる窓部を有する絶縁樹脂部を有するユニット本体を備えたヒューズユニットであって、
前記窓部は、前記可溶部の可溶体を露出し、前記可溶体以外の前記可溶部の箇所が前記絶縁樹脂部に埋設されていることを特徴とするヒューズユニット。
【請求項２】
請求項１記載のヒューズユニットであって、
ユニット本体の外側を被うキャップを備え、
前記キャップは、前記窓部を塞ぐ窓閉塞部を有することを特徴とするヒューズユニット。
【請求項３】
請求項２記載のヒューズユニットであって、
前記キャップは、第１窓閉塞部を有するキャップ本体と、前記キャップ本体にヒンジ部を介して連結された第２窓閉塞部とを有し、前記第１窓閉塞部と前記第２窓閉塞部で前記窓部の両側の開口を塞ぐことを特徴とするヒューズユニット。
【発明の詳細な説明】
【技術分野】
【０００１】
本発明は、負荷に過電流が通電されるのを防止するヒューズユニットに関する。
【背景技術】
【０００２】
車両には、電源から負荷に対し過電流の通電を防止するためヒューズユニットが搭載される。この種の従来例のヒューズユニットとしては、特許文献１に開示されたものがある。このヒューズユニット１００は、図８に示すように、バッテリポスト（図示せず）にバッテリ端子（図示せず）を介して固定される。ヒューズユニット１００は、導電性金属板であるバスバー１０１と、このバスバー１０１をインサート部品としてインサート成形によって設けられた絶縁樹脂部１２０とを備えている。
【０００３】
バスバー１０１は、バッテリ端子（図示せず）が接続される給電用接続部１０２と、各外部端子が接続される外部用接続部１０３と、給電用接続部１０２と各外部用接続部１０３の間に介在される複数の可溶部１０４とを有する。各可溶部１０４は、バスバー１０１の一部が幅狭で、且つ、折曲形状に形成されたバスバー幅狭部１０４ａと、このバスバー幅狭部１０４ａに加締め固定された低融点金属（例えば錫）の可溶体１０４ｂとを有する。各可溶部１０４は、それぞれの過電流の通電によって溶断する。
【０００４】
絶縁樹脂部１２０は、給電用接続部１０２、各外部用接続部１０３、各可溶部１０４を除くバスバー１０１の外面をほぼ被覆している。絶縁樹脂部１２０には、各可溶部１０４を露出させる窓部１２１がそれぞれ設けられている。各窓部１２１は、可溶部１０４の全体を露出するよう大きな寸法に形成されている。この各窓部１２１は、絶縁樹脂部１２０に装着された各可溶部カバー１３０で塞がれている。各可溶部カバー１３０は、コ字形状であり、窓部１２１の両方の開口を閉塞し、塵挨、水等から可溶部１０４を保護している。各可溶部カバー１３０は、目視によって可溶部１０４の溶断の有無を確認できるように透明体にて形成されている。各可溶部カバー１３０と絶縁樹脂部１２０の間は、ガタ付き防止構造とされている。
【先行技術文献】
【特許文献】
【０００５】
【特許文献１】特開２０１０−９５２１４号公報
【発明の概要】
【発明が解決しようとする課題】
【０００６】
しかしながら、前記従来例では、絶縁樹脂部１２０の窓部１２１から可溶部１０４の全体を露出するようインサート成形する必要があるため、可溶部１０４の設計自由度が低いという問題があった。
【０００７】
つまり、同じバリ切り駒を使用してインサート成形する場合、図９のハッチング領域がバリ切りの金型合わせ部Ａ２となる。従って、バリ切りの金型合わせ部Ａ２内の範囲でしか可溶部１０４の設計スペースが確保されず、設計自由度が低い。
【０００８】
そこで、本発明は、前記した課題を解決すべくなされたものであり、可溶部の設計自由度が高いヒューズユニットを提供することを目的とする。
【課題を解決するための手段】
【０００９】
本発明は、複数の端子接続部と前記端子接続部の間に介在される可溶部を有するバスバーと、前記バスバーの外側に固定され、且つ、前記可溶部を露出させる窓部を有する絶縁樹脂部を有するユニット本体を備えたヒューズユニットであって、前記窓部は、前記可溶部の可溶体を露出し、前記可溶体以外の前記可溶部の箇所が前記絶縁樹脂部に埋設されていることを特徴とする。
【００１０】
前記ユニット本体の外側を被うキャップを備え、前記キャップは、前記窓部を塞ぐ窓閉塞部を有することが好ましい。
【００１１】
前記キャップは、第１窓閉塞部を有するキャップ本体と、前記キャップ本体にヒンジ部を介して連結された第２窓閉塞部とを有し、前記第１窓閉塞部と前記第２窓閉塞部で前記窓部の両側の開口を塞ぐことが好ましい。
【発明の効果】
【００１２】
本発明によれば、可溶部の大部分が絶縁樹脂部で被われ、絶縁樹脂部で被われる箇所については、同じインサート金型を使用する場合にあって、設計の制約がなく自由に設計できる。従って、可溶部の設計自由度が高い。
【図面の簡単な説明】
【００１３】
【図１】本発明の一実施形態を示し、ヒューズユニットの組み付け前の斜視図である。
【図２】本発明の一実施形態を示し、（ａ）はユニット本体の平面図、（ｂ）はユニット本体の底面図である。
【図３】本発明の一実施形態を示し、インサート成形時におけるバリ切りの金型合わせ部を入る領域を示す要部平面図である。
【図４】本発明の一実施形態を示し、底面側から見たキャップの斜視図である。
【図５】本発明の一実施形態を示し、キャップをユニット本体に組み付け、第２窓閉塞部が開放位置である斜視図である。
【図６】本発明の一実施形態を示し、キャップをユニット本体に組み付け、第２窓閉塞部を閉塞位置とした上方からの斜視図である。
【図７】本発明の一実施形態を示し、キャップをユニット本体に組み付け、第２窓閉塞部を閉塞位置とした下方からの斜視図である。
【図８】従来例のヒューズユニットの平面図である。
【図９】従来例のインサート成形時におけるバリ切りの金型合わせ部を入る領域を示す要部平面図である。
【発明を実施するための形態】
【００１４】
以下、本発明の一実施形態を図面に基づいて説明する。
【００１５】
図１〜図７は本発明の一実施形態を示す。図１に示すように、ヒューズユニット１は、ユニット本体１０とキャップ３０とを備えている。ユニット本体１０は、Ｌ字状に折れ曲がった形態である。このような形態によって、ユニット本体１０は、バッテリ（図示せず）の上面と側面に沿って配置される。
【００１６】
ユニット本体１０は、図１及び図２（ａ）、（ｂ）に詳しく示すように、導電性金属板であるバスバー１１と、このバスバー１１の外面に固定された絶縁樹脂部２０とを備えている。バスバー１１は、端子接続部である給電用接続部１２と、各外部端子（図示せず）が接続される端子接続部である複数の外部用接続部１３，１４と、給電用接続部１２と各外部用接続部１３，１４間にそれぞれ介在される複数の可溶部１５，１６とを有する。
【００１７】
給電用接続部１２は、バッテリ（図示せず）のバッテリポスト（図示せず）にバッテリ端子（図示せず）を介して接続される。外部用接続部１３には、ボルト接続によって外部端子（図示せず）が接続される。外部用接続部１４は、タブ形状である。外部用接続部１４には、コネクタ接続によって外部端子（図示せず）が接続される。
【００１８】
複数の可溶部１５，１６は、バスバー１１の上面と側面に設けられている。上面の各可溶部１５は、ボルト接続用の外部用接続部１３への過電流を阻止する。側面の可溶部１６は、コネクタ接続用の外部用接続部１４への過電流を阻止する。各可溶部１５，１６は、バスバー１１の一部が幅狭に形成されたバスバー幅狭部１５ａ，１６ａと、このバスバー幅狭部１５ａ，１６ａに加締め固定された低融点金属（例えば錫）の可溶体１５ｂ、１６ｂとを有する。各可溶部１５，１６は、それぞれの過電流の通電によって溶断する。
【００１９】
絶縁樹脂部２０は、バスバー１１をインサート部品としてインサート成形によって絶縁性の合成樹脂より形成されている。絶縁樹脂部２０は、給電用接続部１２、各外部用接続部１３，１４、各可溶部１５，１６を除くバスバー１１の外面をほぼ被覆している。絶縁樹脂部２０には、上面と側面の各可溶部１５，１６を露出させる窓部２１，２２がそれぞれ設けられている。上面の各窓部２１は、可溶体１５ｂ，１６ｂのみを露出するよう小寸法に形成されている。可溶体１５ｂ，１６ｂ以外の可溶部１５の箇所、具体的にはバスバー幅狭部１５ａ，１６ａは、絶縁樹脂部２０に埋設されている。
【００２０】
キャップ３０は、図１及び図４に詳しく示すように、絶縁性で、且つ、光透過性の合成樹脂材より形成されている。キャップ３０は、上方からユニット本体１０にスライド嵌合によって装着されている。キャップ３０は、キャップ本体３１と、キャップ本体３１にヒンジ部３２を介して連結された第２窓閉塞部４１とを備えている。キャップ本体３１は、ユニット本体１０のみならずバッテリ端子（図示せず）とバッテリポスト（図示せず）を上方より被っている。キャップ本体３１は、固定面部３１ａと、固定面部３１ａにヒンジ部３１ｂを介して連結された蓋部３１ｃとを有する。蓋部３１ｃを閉位置から開方向に回転することによって、バッテリポスト（図示せず）とバッテリ端子（図示せず）と給電用接続部１２等を露出させることができる。蓋部３１ｃは、左右位置に第１窓閉塞部４０を一体に有する。蓋部３１ｃの閉位置では、第１窓閉塞部４０が窓部２１の上方の開口を閉塞する。ヒンジ部３２の反対側に位置する蓋部３１ｃの側面には、ロック爪３４ａが設けられている。
【００２１】
ヒンジ部３２は、蓋部３１ｃの一方の側面端に沿って設けられている。
【００２２】
第２窓閉塞部４１は、ヒンジ部３２を支点として、蓋部３１ｃの底面を開放する開放位置と蓋部３１ｃの底面を閉じる閉塞位置との間に変移できる。第２窓閉塞部４１の回転先端には、被ロック部３４ｂが設けられている。閉塞位置では、被ロック部３４ｂとロック爪３４ａが係止される。第２閉塞部４１の閉塞位置では、上面の各窓部２１の下方の開口を閉塞する。
【００２３】
次に、ユニット本体１０とキャップ３０の組み付け作業を説明する。図１に示すように、第２窓閉塞部４１を開放位置としたキャップ３０を、ユニット本体１０の上方よりスライドさせる。すると、図５に示すように、キャップ３０がユニット本体１０にロックされて嵌合される。次に、開放位置の第２窓閉塞部４１を閉塞位置に回転し、ロック爪３４ａに被ロック部３４ｂを係止する。これにより、図６及び図７に示すように、第２窓閉塞部４１が閉塞位置にロックされる。閉塞位置では、キャップ本体３１の第１窓閉塞部４０と第２窓閉塞部４１によって上面の各窓部２１の上下両方の開口が閉塞される。これで、ユニット本体１０とキャップ３０の組み付けが完了する。
【００２４】
以上説明したように、絶縁樹脂部２０の窓部２１は、可溶部１５，１６の可溶体１５ｂ，１６ｂのみを露出する小寸法に形成され、可溶体１５ｂ，１６ｂ以外の可溶部１５，１６の箇所が絶縁樹脂部２０に埋設されている。ここで、可溶部１５の箇所について、同じバリ切り駒を使用してインサート成形する場合、図３のハッチング領域がバリ切りの金型合わせ部Ａ１となり、絶縁樹脂部２０で埋設される箇所、具体的にはバスバー幅狭部１５ａの大部分については、設計の制約がなく自由に設計できる。可溶部１６についても同様である。従って、可溶部１５，１６の設計自由度が高い。
【００２５】
インサート形成に使用するバリ切り駒は、可溶部１５と接触する部分の長さＬ１，Ｌ２（図３に示す）が同じ寸法であれば、可溶体１５ｂ以外の部分（例えば図３の破線箇所）の設計が異なるバスバー１１でも、同一のものを用いることができる。
【００２６】
また、窓部２１，２２は、小寸法である。従って、端子や部品が窓部２１内に入らないため、他回路との絶縁性が向上する。又、作業者が誤って指等を窓部２１内に入れることを防止できる。
【００２７】
キャップ３０が絶縁樹脂部２０の窓部２１を閉塞する第１窓閉塞部４０及び第２窓閉塞部４１を有する。従って、可溶部１５を露出する窓部２１は、ユニット本体１０自体を被うキャップ３０によって閉塞されるため、従来例のような可溶部カバーが不要である。以上より、従来例のようにユニット本体１０と可溶部カバー間で発生する異音を完全に防止できると共に、部品点数も削減できる。
【００２８】
窓部２１は、キャップ３０によって閉塞されるので、可溶部１５を塵挨、水等から保護でき、又、溶断した可溶体（例えば錫）が飛散するのを防止できる。
【００２９】
キャップ３０は、光透過性の部材より形成されているので、キャップ３０を開けることなく、可溶部１５の溶断の有無を視認できる。
【００３０】
キャップ３０は、第１窓閉塞部４０を有するキャップ本体３１と、キャップ本体３１にヒンジ部３２を介して連結された第２窓閉塞部４１とを有し、第１窓閉塞部４０と第２窓閉塞部４１で窓部２１の両側の開口を塞ぐよう構成されている。従って、キャップ３０をユニット本体１０に組み付けたり、取り外したりする作業が容易である。
【００３１】
この実施形態では、ユニット本体１０は、接続端子を介してバッテリのバッテリポストに接続されるものであるが、本発明は、このようなタイプのユニット本体以外にも適用できる。
【符号の説明】
【００３２】
１  ヒューズユニット
１０  ユニット本体
１１  バスバー
１２  給電用接続部（端子接続部）
１３，１４  外部用接続部（端子接続部）
１５，１６  可溶部
１５ｂ，１６ｂ  可溶体
２０  絶縁樹脂部
２１，２２  窓部
３０  キャップ
３１  キャップ本体
３２  ヒンジ部
４０  第１窓閉塞部（窓閉塞部）
４１  第２窓閉塞部（窓閉塞部）
【図１】
2013054945.tif 000003
【図２】
2013054945.tif 000004
【図３】
2013054945.tif 000005
【図４】
2013054945.tif 000006
【図５】
2013054945.tif 000007
【図６】
2013054945.tif 000008
【図７】
2013054945.tif 000009
【図８】
2013054945.tif 000010
【図９】
2013054945.tif 000011